(57)【要約】 【課題】  カフスに対して反転装着可、脱着簡易。【解決手段】  先端の錘形頭１８にリング溝１７を置いて基幹１５が連続したリンク幹１４が、中央部で起立した雄ボタン１０；錘形頭が挿入されるスリーブ４１が中央部で起立した雌ボタン２０；雌ボタン内にあってスリーブを通して進入した錘形頭に連なる前記リング溝の溝底に接離する方向、すなわち前記スリーブの起立方向ｚと直交する方向ｙ、に移動でき、外側端部が雌ボタンの側面から外方に突出する係止部材３０ａ，ｂ；および、雌ボタン内にあって、前記係止部材を、前記リング溝の溝底に当接する方向であって外側端部が雌ボタンから外方に突出する方向に強制するばね部材３６ａ，ｂ；を備える。前記係止部材は、リング溝底に接離する移動方向ｙで対向し、各外側端部が雌ボタン側面から外方に突出する１対であり；ばね部材も、それぞれが各係止部材を前記方向ｙに強制する１対である。【選択図】  図２
2010124846.tif 000002
【特許請求の範囲】
【請求項１】
先端の錘形頭にリング溝を置いて基幹が連続したリンク幹が、中央部で起立した雄ボタン；
前記錘形頭が挿入されるガイドスリーブが中央部で起立した雌ボタン;
該雌ボタン内にあって、前記ガイドスリーブを通して進入した前記錘形頭に連なる前記リング溝の溝底に接離する方向すなわち前記ガイドスリーブの起立方向と直交する方向、に移動でき、外側端部が前記雌ボタンの側面から外方に突出する係止部材；および、
前記雌ボタン内にあって、前記係止部材を、前記リング溝の溝底に当接する方向であって外側端部が前記雌ボタンから外方に突出する方向に強制するばね部材；
を備えるカフスボタン。
【請求項２】
前記係止部材は、前記リング溝の溝底に接離する移動方向で対向し、各外側端部が前記雌ボタン側面から外方に突出する１対であり；前記ばね部材も、それぞれが各係止部材を前記方向に強制する１対である；請求項１に記載のカフスボタン。
【請求項３】
前記雌ボタンには、前記１対の係止部材の、前記錘形頭に連なる前記リング溝の溝底に接離する方向の移動を案内するガイド溝があり；
該ガイド溝の側壁には各係止部材の移動範囲を規制する溝又は突起があり；
各係止部材には、該溝又は突起に入る又は受入れる突起又は溝がある；
請求項２に記載のカフスボタン。
【請求項４】
各係止部材には、前記リング溝部を受け入れ、しかも他方の係止部材の鈎を受け入れる鈎空間、および、該空間に連続するばね収納空間があり；前記ばね部材は、各係止部材の前記ばね収納空間にあって他方の係止部材の鈎を、リング溝の底に向けて押す１対のばねである；請求項２又は３に記載のカフスボタン。
【請求項５】
前記雌ボタンには、前記係止部材およびばね部材を収納した前記雌ボタンの前記ガイド溝を被覆する裏板があり、該裏板に前記ガイドスリーブがあって該裏板に対して垂直である；請求項４に記載のカフスボタン。
【発明の詳細な説明】
【技術分野】
【０００１】
本発明は、カフスボタンに関する。
【背景技術】
【０００２】
【特許文献１】特開２０００−２１０１０５号公報
【特許文献２】実開平３−４７１０号公報。
【０００３】
代表的なカフスボタンは、ボタン本体である装飾ボタンに立てたコ型支持枠の自由端に、ストッパーピンの中央を回動自在に装着したものである（例えば特許文献１）。カフスに装着するときには、ストッパーピンを立ててカフスのボタンホールに通し、そしてストッパーピンを水平に戻す。すなわちカフス面と平行にする。カフスボタンが外れやすいので、特許文献１では、装飾ボタン１に、一端に留めリング１３を結合した索条４の他端を結合し、ストッパーピン３の一端にはリング１３を固着して、カフス１０にカフスボタンを装着してから留めリング１３をリング１３に結合する。特許文献２では、相対向するボタンである基体１，２の一方に、自由端に帽体６がある棒体３の他端を固着し、基体の他方の、帽体６を受け入れる穴には弾性体１４を装備して、装着した帽体６を弾性体１４が係止する。
【発明の開示】
【発明が解決しようとする課題】
【０００４】
従来のカフスボタン、例えば特許文献１に記載のカフスボタンは、カフスの表側に装飾ボタンが現れるように装着する。ストッパーピンがカフスの表側に現れる装着は異常である。すなわち、カフスボタンの反転装着（リバーシブルリンキング）は不可である。また、カフスに対する着脱にスキル（技量）と手間がかかる。つまり着脱が難しい。例えば特許文献２に記載のカフスボタンは、ボタンである基体が相対向する１対１，２であるので、カフスボタンの反転装着ができ、２種類の装飾を楽しめる。しかし、小形の帽体６の先端をボタン穴の内側に押し込まなければ対のボタンが外れないので、取り外しが難しい。
【０００５】
本発明は、反転装着が可能で、カフスに対する脱着が簡易なカフスボタンを提供することを目的とする。
【課題を解決するための手段】
【０００６】
（１）先端の錘形頭(18)にリング溝(17)を置いて基幹(15)が連続したリンク幹(14)が、中央部で起立した雄ボタン(10)；
前記錘形頭(18)が挿入されるガイドスリーブ(41)が中央部で起立した雌ボタン(20);
該雌ボタン内にあって、前記ガイドスリーブを通して進入した前記錘形頭に連なる前記リング溝の溝底に接離する方向、すなわち前記ガイドスリーブの起立方向(z)と直交する方向(y)、に移動でき、外側端部が前記雌ボタンの側面から外方に突出する係止部材(30a,30b)；および、
前記雌ボタン内にあって、前記係止部材(30a,30b)を、前記リング溝(17)の溝底に当接する方向であって外側端部が前記雌ボタン(20)から外方に突出する方向に強制するばね部材(36a,36b)；
を備えるカフスボタン。
【０００７】
なお、理解を容易にするために括弧内には、図面に示し後述する実施例の対応要素の符号を、例示として参考までに付記した。以下も同様である。
【発明の効果】
【０００８】
カフスのボタンホールに、雄ボタン(10)のリンク幹(14)を通して、又は、雌ボタン(20)のガイドスリーブ(41)を通して、雄ボタン(10)のリンク幹(14)の錘形頭(18)を、雌ボタン(20)のガイドスリーブ(41)に押し込むことにより、ばね部材(36a,36b)の反発力に抗して錘形頭(18)が係止部材(30a,30b)を、錘形頭(18)から離れる方向(y)に押し、係止部材(30a,30b)の位置(z)を通過する。するとばね部材(36a,36b)の反発力により係止部材(30a,30b)が移動(y)してリング溝(17)の溝底に当接し、係止部材(30a,30b)の外側端部が雌ボタン(20)の側面から外方(y)に突出する。この装着状態では、錘形頭(18)の抜け方向(z)の移動が係止部材(30a,30b)で阻止されるので、雄ボタン(10)は雌ボタン(20)から外れない。すなわち、装着中のカフスボタンはカフスから外れ難い。
【０００９】
装着者又は付添人が、係止部材(30a,30b)の外側端部を、雌ボタン(20)の側面を挟み持つように雌ボタン(20)の内側(y)に向けて押すことにより、ばね部材(36a,36b)の反発力に抗して係止部材(30a,30b)が雄ボタン(10)のリンク幹のリング溝(17)から離れる方向(y)に移動し、これにより、錘形頭(18)の挿脱方向(z)の移動が可能になる。ここで雌ボタン(20)に対して雄ボタン(10)を引抜き方向(z)に引くと、雄ボタン(10)が雌ボタン(20)から外れる。
【００１０】
このように、雌ボタン(20)の側面を掴む形態で係止部材(30a,30b)の外側端部を雌ボタン(20)の内側(y)に向けて押すという、簡単な作用でカフスボタンをカフスから外すことができる。カフスに対してカフスボタンの反転装着ができるので、雄ボタン(20)と雌ボタン(20)の、相対向面の反対側（各表面）には、それぞれに装飾を施す、あるいは装飾物を付設することにより、２種類の装飾を楽しめる。
【００１１】
（２）前記係止部材は、前記リング溝の溝底に接離する移動方向(y)で対向し、各外側端部が前記雌ボタン側面から外方に突出する１対(30a,30b)であり；前記ばね部材も、それぞれが各係止部材を前記方向に強制する１対(36a,36b)である；上記（１）に記載のカフスボタン。
これによれば、雌ボタン側面を挟むように１対の係止部材(30a,30b)の外側端部を押し込むことにより、雄，雌ボタンの結合を簡単に外すことができる。
【００１２】
（３）前記雌ボタン(20)には、前記１対の係止部材(30a,30b)の、前記錘形頭(18)に連なる前記リング溝(17)の溝底に接離する方向(y)の移動を案内するガイド溝(22)があり；
該ガイド溝(22)の側壁には各係止部材(30a,30b)の移動範囲を規制する溝(24a,24b)又は突起があり；
各係止部材(30a,30b)には、該溝(24a,24b)又は突起に入る又は受入れる突起(31a,31b)又は溝がある；
上記（２）に記載のカフスボタン。
【００１３】
（４）各係止部材(30a,30b)には、前記リング溝(17)部を受け入れ、しかも他方の係止部材の鈎(35a,35b)を受け入れる鈎空間(32a,32b)、および、該空間に連続するばね収納空間(33a,33b)があり；前記ばね部材(36a,36b)は、各係止部材(30a,30b)の前記ばね収納空間(33a,33b)にあって他方の係止部材の鈎(35a,35b)を、リング溝(16)の底に向けて押す１対のばね(36a,36b)である；上記（２）又は（３）に記載のカフスボタン。
【００１４】
（５）前記雌ボタン(20)には、前記係止部材(30a,30b)およびばね部材(36a,36b)を収納した前記雌ボタン(20)の前記ガイド溝(22)を被覆する裏板(40)があり、該裏板(40)に前記ガイドスリーブ(41)があって該裏板(40)に対して垂直である；上記（４）に記載のカフスボタン。
【発明を実施するための最良の形態】
【００１５】
本発明の他の目的および特徴は、図面を参照した以下の実施例の説明より明らかになろう。
【実施例１】
【００１６】
図１に本発明の１実施例の外観を示す。図１の（ａ）は平面図、（ｂ）は正面図、（ｃ）は左側面図である。図１には、雄ボタン１０を雌ボタン２０に装着した外観を示すが、図２は分離して示す左側面図である。図３には、雄ボタン１０および雌ボタン２０を分解して、構成部品を示す。
【００１７】
雄ボタン１０は、円板１１の中心穴１３（図３）に、リンク幹１４の先端の中空端部１６が圧入されて、リンク幹１４が、図２に示すように、円板１１と一体になっている。円板１１には図示しない装飾板あるいは装飾塊を装着するための窪み１２がある。リンク幹１４の基幹１５（図３）の下端には、裁頭円錐形の錐形頭１８があり、錐形頭１８と基幹１５の間にはリング溝１７がある。すなわち、錐形頭１８と基幹１５の間は細径で、くびれている。
【００１８】
雌ボタン２０の円ブロック２１の中心には有底穴２３（図３）がある。これは、錐形頭１８を受け入れる非貫通の穴である。円ブロック２１には、その中心を幅中央とするガイド溝２２があり、このガイド溝２２の側壁に、後述する係止部材３０ａ，ｂの突起３１，ｂを受け入れてそれらのｙ方向移動範囲を制限する側壁溝２４ａ，ｂがある。溝２２を刻んだ平面には、有底雌ねじ穴２５ａ，２５ｂが開いており、該平面から、ブロック外縁の一部をなす弧状の壁２６ａ，ｂが起立している。
【００１９】
係止部材３０ａは、図３に示すように、リンク幹１４のリング溝１７を受け入れ、しかも他方の係止部材３０ｂの鈎３５ｂを受け入れる鈎空間３２ａ、および、該空間に連続するばね収納空間３３ａを、Ｌ型に形成したものである。係止部材３０ｂは３０ａと同一形状である。突起３１ａ，ｂ（図３）を側壁溝２４ａ，２４ｂに位置合わせして係止部材３０ａ，ｂを、図３に示す姿勢で溝２２に配置すると、一方の係止部材３０ａの鈎３５ａが、他方の係止部材３０ｂの鈎空間３２ｂに入って、また、他方の係止部材３０ｂの鈎３５ｂが、該一方の係止部材３０ａの鈎空間３２ａに入って、係止部材３０ａ，ｂがｙ方向で相対向し、両鈎３５ａ，３５ｂの間の空間が、有底穴２３の真上に位置する。
【００２０】
この状態で、ばね収納空間３３ａ，ｂに、ばね部材である圧縮コイルばね３６ａ，ｂを、圧縮して挿入することにより、圧縮コイルばね３６ａ，ｂのそれぞれが、係止部材３０ａ，ｂを、有底穴２３から離れる方向に押す。これにより、図１の（ａ）に示すように、係止部材３０ａ，ｂの各外側端部が、円ブロック２１（雌ボタン２０）の側面から外方に突出する。
【００２１】
この状態で、ガイドスリーブ４１を一体にした裏板４０を、その円周縁を弧状の壁２６ａ，ｂに沿わせて、張り出し４２ａ，ｂをガイド溝２２に挿入し、とめねじ４４ａ，４４ｂを、ねじ通し穴４３ａ，ｂにとおして雌ねじ穴２５ａ，ｂにねじ込むことにより、裏板４０が、円ブロック２１と一体となり、しかも、係止部材３０ａ，ｂおよび圧縮コイルスプリングを位置決め支持する。雌ボタン２０の裏側（ガイドスリーブが突出する裏面）を綺麗に見せるための裏カバー５０を、その通し穴５１にガイドスリーブ４１を通して、円ブロック２１の弧状の壁２６ａ，ｂ間に圧入し同時に裏カバー５０の張り出し５２ａ，ｂをガイド溝２２に圧入することにより、図２に示す雌ボタン２０が組みあがる。
【００２２】
カフスのボタンホールに、図２に示す雄ボタン１０のリンク幹１４を通し、又は、雌ボタン２０のガイドスリーブ４１を通し、そしてリンク幹１４の錐形頭１８を雌ボタン２１のガイドスリーブ４１に挿入して、該スリーブ４１の端面に雄ボタン１０の円板１１の裏面が当接するまでリンク幹１４を押し込むことにより、錐形頭１８が係止部材３０ａ，ｂの鈎３５ａ，ｂをｙ方向に押しやって圧縮コイルスプリング３６ａ，ｂを圧縮し、錐形頭１８が鈎３５ａ，ｂの下方に降下する。そしてリング溝１７が鈎３５ａ，ｂの位置に到達すると、圧縮コイルスプリング３６ａ，ｂの反発力で係止部材３０ａ，ｂが戻し駆動されて、鈎３５ａ，ｂがリング溝に嵌り込む。これにより、雄ボタン１０と雌ボタン２０は図１に示すように結合し、雄ボタン１０と雌ボタン２０の一方を他方から引き抜くように引いても、雄ボタン１０と雌ボタン２０の結合は外れない。
【００２３】
この状態で、係止部材３０ａ，ｂの、雌ボタン２０の側面から突出する外側端部（図１の（ａ）上の３０ａ，３０ｂ）の一方に親指を、他方に人差し指を当てて外側端部の両方を雌ボタン２０内部に押し込むように挟圧することにより、係止部材３０ａ，ｂが圧縮コイルばね３６ａ，ｂの反発力に抗して、有底穴２３に近づく方向（ｙ）に移動し、係止部材３０ａ，ｂの鈎３５ａ，ｂが、リング溝１７から退避し、鈎３５ａ，ｂの間を錐形頭１８が通行できるようになる。過分な押し込みは、係止部材３０ａ，ｂの一方（３０ａ）の鈎３５ａ（３５ｂ）が他方（３０ｂ）のストッパ面３４ｂ（３４ａ）に当たることにより阻止される。この状態で、雄ボタン１０と雌ボタン２０の一方を他方から引き抜くように引くと、図２に示すように、雄ボタン１０が雌ボタン２０から分離する。
【００２４】
なお、雄ボタン１０を装着していないときの、円ブロック２１のガイド溝２２からの、係止部材３０ａ，ｂの抜け（ｙ方向）を防ぐために、すなわち係止部材３０ａ，ｂの位置規制のために、ガイド溝２２の側壁に溝２４ａ，ｂを形成して、係止部材３０ａ，ｂの突起３１ａ，ｂのｙ方向の移動範囲を制限している。すなわち係止部材３０ａ，ｂのｙ方向移動を制限しているが、この移動規制機構は、ガイド溝２２の側壁に、突起３１ａ，ｂ対応の突起を形成し、係止部材３０ａ，ｂには、側壁溝２４ａ，ｂ対応の溝を形成したものに変更しても良い。
【００２５】
また、１対の係止部材３０ａ，ｂと一対のコイルスプリングを用いているが、１つの係止部材と１つのばね部材を用いることもできる。しかし、上記実施例のように１対を用いると、係止部材３０ａ，ｂの一方（３０ａ）単独の押し込みでは、一方の圧縮コイルスプリング（３６ａ）を介して他方の係止部材（３０ｂ）を、係止方向（鈎３５ｂがリング溝１７の下底を更に押す方向）に押すことになり、拘止機能が高く、また、開くときには、両係止部材３０ａ，ｂを同時に押し込むので、鈎３５ａ，ｂが同時に逆方向（開方向）に移動するので、解除機能も高い。すなわち、拘止，解除の安定性が高い。
【図面の簡単な説明】
【００２６】
【図１】本発明の１実施例の外観を示し、（ａ）は平面図、（ｂ）は正面図、（ｃ）は左側面図である。
【図２】図１に示すカフスボタンの雄ボタン１０を雌ボタン２０から外して示す左側面図である。
【図３】図２に示す雄ボタン１０と雌ボタン２０を分解して構成部材を示す斜視図である。
【符号の説明】
【００２７】
１０：雄ボタン
１１：円板
１２：窪み
１３：中心穴
１４：リンク幹
１５：基幹
１６：中空端部
１７：リング溝
１８：錘形頭
２０：雌ボタン
２１：円ブロック
２２：ガイド溝
２３：有底穴
２４ａ，ｂ：側壁溝
２５ａ，ｂ：雌ねじ穴
２６ａ，ｂ：弧状の壁
３０ａ，ｂ：係止部材
３１ａ，ｂ：突起
３２ａ，ｂ：鈎空間
３３ａ，ｂ：ばね収納空間
３４ａ，ｂ：ストッパ面
３５ａ，ｂ：鈎
３６ａ，ｂ：ばね部材
４０：裏板
４１：ガイドスリーブ
４２ａ，ｂ：張り出し
４３ａ，ｂ：ねじ通し穴
４４ａ，４４ｂ：とめねじ
５０：裏カバー
５１：通し穴
５２ａ，ｂ：張り出し
【図１】
2010124846.tif 000003
【図２】
2010124846.tif 000004
【図３】
2010124846.tif 000005